(57)【要約】【課題】クロック信号の周波数の高調波成分が受信周波数と重複する場合に対し有効な対策を提供することを目的とする。【解決手段】無線通信装置においてクロック信号を使用する部分が必要とする一のクロック信号の高調波成分が受信周波数と重複する場合他のクロック信号を生成し、これを前記クロック信号を使用する部分に向けて伝送し、目的部分において他のクロック信号から一のクロック信号を生成する構成とした。【選択図】図４
2009141482.tif 000002
【特許請求の範囲】
【請求項１】
クロック信号を用いる構成の無線通信装置において、当該クロック信号を使用する部分が使用する一のクロック信号の高調波成分が当該無線通信装置の受信周波数と重複する場合、前記一のクロック信号と異なる他のクロック信号を生成する伝送クロック信号生成段階と、
前記伝送クロック信号生成段階により生成された、前記他のクロック信号を、前記クロック信号を使用する部分に向けて伝送するクロック信号伝送段階と、
前記クロック信号伝送段階により伝送された前記他のクロック信号から前記一クロック信号を生成して前記クロック信号を使用する部分に供給する使用クロック信号生成段階とよりなる
無線通信装置におけるクロック信号伝送方法。
【請求項２】
前記伝送クロック信号生成手段で生成される他のクロック信号の周波数は前記一のクロック信号の周波数の整数倍の周波数とされ、当該周波数自体及びそのいかなる高調波成分も前記受信周波数と重複しないような周波数とされてなる
請求項１に記載のクロック信号伝送方法。
【請求項３】
前記伝送クロック信号生成段階で生成される他のクロック信号の周波数は前記一クロック信号の周波数の整数分の一の周波数とされてなる
請求項１に記載のクロック信号伝送方法。
【請求項４】
前記伝送クロック信号生成段階で生成される前記他のクロック信号は、前記一のクロック信号に対しフーリエ変換を実施して得られるスペクトルにおいて前記受信周波数と重複する高調波成分を特定し、前記フーリエ変換を実施して得られたスペクトルから当該特定された高調波成分のスペクトルを除去したスペクトルを得、当該高調波成分を除去したスペクトルに対し逆フーリエ変換を実施して得られる波形を有する信号とされてなる
請求項１に記載のクロック信号伝送方法。
【請求項５】
前記無線通信装置は、前記受信周波数の無線通信信号を受信するアンテナ部を有し、前記伝送クロック信号生成段階及び使用クロック信号生成段階はそれぞれ伝送クロック信号発振回路及び周波数変換回路により実施され、それぞれタイミング発生回路及び使用クロック信号発振回路により実施され、或いはそれぞれ伝送クロック信号発振回路及び波形成形回路により実施され、前記クロック信号伝送段階ではクロック信号伝送用配線部材が他のクロック信号の伝送に使用され、
前記伝送クロック信号発振回路或いはタイミング発生回路は前記無線通信装置における一の回路基板上に搭載され、前記周波数変換回路、使用クロック信号発振回路或いは波形成形回路及び前記クロック信号を使用する部分は前記無線通信装置における他の回路基板上に搭載され、前記アンテナ部は前記一の回路基板と前記他の回路基板との間に設置され、前記クロック信号伝送用配線部材は前記一の回路基板から前記他の回路基板に向けて前記アンテナ部上或いはその近傍を通過して配線されてなる
請求項１乃至４のうちの何れかに記載のクロック信号伝送方法。
【請求項６】
クロック信号を用いる構成とされた無線通信装置であって、
当該無線通信装置においてクロック信号を使用する部分が使用する一のクロック信号の高調波成分が当該無線通信装置の受信周波数と重複する場合、前記一のクロック信号と異なる他のクロック信号を生成する伝送クロック信号生成手段と、
前記伝送クロック信号生成手段により生成された、前記他のクロック信号を、前記クロック信号を使用する部分に向けて伝送するクロック信号伝送手段と、
前記クロック信号伝送手段により伝送された前記他のクロック信号から前記一のクロック信号を生成して前記クロック信号を使用する部分に供給する使用クロック信号生成手段とよりなる
無線通信装置。
【請求項７】
前記伝送クロック信号生成手段で生成される他のクロック信号の周波数は前記一のクロック信号の周波数の整数倍の周波数であって、当該周波数自体及びそのいかなる高調波成分も前記受信周波数と重複しない周波数とされてなる
請求項６に記載の無線通信装置。
【請求項８】
前記伝送クロック信号生成手段で生成される他のクロック信号の周波数は前記一のクロック信号の周波数の整数分の一の周波数とされてなる
請求項６に記載の無線通信装置。
【請求項９】
前記伝送クロック信号生成手段で生成される前記他のクロック信号は、前記一のクロック信号に対しフーリエ変換を実施して得られるスペクトルにおいて前記受信周波数に重複する高調波成分のスペクトルを特定し、前記フーリエ変換を実施して得られたスペクトルから当該特定された高調波成分のスペクトルを除去したスペクトルを得、当該高調波成分のスペクトルを除去したスペクトルに対し逆フーリエ変換を実施して得られる波形を有する信号とされてなる
請求項６に記載の無線通信装置。
【請求項１０】
前記無線通信装置は、前記受信周波数の無線通信信号を受信するアンテナ部を有し、前記伝送クロック信号生成手段及び使用クロック信号生成手段は、それぞれ伝送クロック信号発振回路及び周波数変換回路よりなり、タイミング発生回路及び使用クロック信号発振回路よりなり、或いは伝送クロック信号発振回路及び波形成形回路よりなり、前記クロック信号伝送手段はクロック信号伝送用配線部材を含み、
前記伝送クロック信号発振回路或いはタイミング発生回路は前記無線通信装置における一の回路基板上に搭載され、前記周波数変換回路、使用クロック信号発振回路或いは波形成形回路及び前記クロック信号を使用する部分は前記無線通信装置における他の回路基板上に搭載され、前記アンテナ部は前記一の回路基板と前記他の回路基板との間に設置され、前記クロック信号伝送用配線部材は前記一の回路基板から前記他の回路基板に向けて前記アンテナ部上或いはその近傍を通過して配線されてなる
請求項６乃至９のうちの何れかに記載の無線通信装置。
【発明の詳細な説明】
【技術分野】
【０００１】
本発明は無線通信装置におけるクロック信号伝送方法及び無線通信装置に関する。
【背景技術】
【０００２】
無線通信装置、特に携帯電話機等の携帯機器では、小型化の要請から当該機器に設けられている無線信号受信用の受信アンテナと機器内部の回路とが近接して配置される場合がある。このため、機器内部の内部信号としてのクロック信号の高調波ノイズが当該受信アンテナで受信され、もって受信妨害が生ずることがあった。
【０００３】
ここで、上記携帯電話機等のデジタル電子機器では、当該機器内の各回路の動作タイミングをクロック信号に同期させることが行われる。このような構成では、クロック信号は機器内の各回路へ供給されるため、クロック信号伝送用配線部材が長くなり、クロック信号伝送用配線部材から放射される高調波ノイズによる影響が問題となる。
【０００４】
特に固定部と可動部とよりなる折り畳み式携帯電話機では、そのヒンジ部分を通過するケーブル又は配線パターンを通じてクロック信号を伝送する場合があり、そのような場合、当該ケーブル又は配線パターンから放射されるクロック信号の高調波成分の周波数が当該携帯電話機の無線受信周波数と重なることで受信妨害が生ずることがある。
【０００５】
図１は従来の一例の無線通信装置としての折り畳み式携帯電話機の内部構成、特にクロック信号の伝送に係る部分の構成例を示す斜視図である。
【０００６】
図１の携帯電話機５００’は固定部５００Ｂ’と可動部５００Ａ’とよりなり、固定部５００Ｂ’と可動部５００Ａ’とはヒンジ４００で開閉可能に接続されている。
【０００７】
固定部５００Ｂ’及び可動部５００Ａ’の各々には回路基板として固定部基板１００’及び可動部基板２００’がそれぞれ設けられている。
【０００８】
又固定部５００Ｂ’には当該携帯電話機を駆動するための電池１３０及び外部の充電器により電池１３０を充電するための充電端子１４０が設けられているとともに、当該携帯電話機５００’が無線信号を受信するための受信アンテナ１２０が設けられている。
【０００９】
又固定部基板１００’上にはクロック信号を送信する機能を有する送信部１１０’が設けられ、可動部基板２００’上にはこのクロック信号を受信する受信部２１０’が設けられている。これら送信部１１０’と受信部２１０’との間は、クロック信号伝送用配線部材としてのケーブル又は配線パターン３００が設けられている。
【００１０】
図１の構成を有する携帯電話機器５００’では固定部５００Ｂ’の固定部基板１００’上に設けられた送信部１１０’から、可動部５００Ａ’の可動部基板２００’上に設けられた受信部２１０’に対し、その間に設けられたケーブル又は配線パターン３００によってクロック信号を伝送する。この構成ではヒンジ４００の部分を通してケーブル又は配線パターンを設けるため、ヒンジ４００の部分に近接して設けられた受信アンテナ１２０上或いはその近傍をケーブル又は配線パターン３００が通過することになる。そのため、当該ケーブル又は配線パターン３００によって伝送されるクロック信号から放射される電波が受信アンテナ１２０により受信されることによって受信妨害が生じる場合がある。
【００１１】
図２は前記送信部１１０’の一例としての、当該携帯電話機５００に設けられたカメラの一例を示す斜視図である。
【００１２】
このように送信部１１０’がカメラであるような場合、カメラによる撮影で得られた画像情報は例えば１３ＭＨｚのクロック信号に同期して当該カメラから送信され、クロック信号とともに受信部２１０’へと伝送され、受信部２１０’にて情報処理がなされる。このようにして、当該画像情報により、当該携帯電話機５００’が有する画面（図示を省略）上に撮像画像が表示され、或いは当該携帯電話機内に設けられたメモリ（図示を省略）に格納される。
【００１３】
図３は従来の問題点を説明するための図であり、上記携帯電話機５００’の内部構成の一部を示すブロック図である。
【００１４】
図３（ａ）中、受信アンテナ（すなわち無線アンテナ）１２０により受信された無線信号は無線受信回路（図１中では省略）１５０にて当該無線信号の受信に係る情報処理がなされる。
【００１５】
又上記送信部としてのクロック発信回路１１０’からクロック信号（図３（ｂ）にその波形の例を示す）が発信され、上記ケーブル又は配線パターン３００を通じて伝送され、受信部（終端部）としての１３ＭＨｚ動作回路２１０’にて受信される。
【００１６】
図３の例では当該携帯電話機５００’の受信周波数帯が８７５〜８８５ＭＨｚであり、１３ＭＨｚのクロック信号の６８次の高調波成分である８８４ＭＨｚが当該受信周波数帯の範囲内にある。このためこの８８４ＭＨｚの電波が妨害周波数の電波となり受信妨害の要因となる。
【００１７】
ここで、このように当該携帯電話機５００’においてそのクロック信号の高調波成分が当該携帯電話機５００’の受信周波数に重なる場合、当該携帯電話機５００が受信する電波が当該携帯電話機５００’が正常に通信可能な最低レベルの電波の強さ（すなわち受信感度であり、例えばアンテナ端子で−90dBm)であって、そのクロック信号の高調波成分の強さがその−90dBmを超えていたとすると、受信信号とノイズとの間の分別が出来ず通信エラーが生ずる。
【００１８】
このような問題点に対し、従来は対策部品をクロック回路に挿入することにより、クロック信号が有する、携帯電話機の受信周波数帯の高調波成分を減衰させていた。しかしながらこの方法ではクロック信号の波形に対する悪影響の問題が想定される。
【特許文献１】特開２００２−３１４５１７号公報
【発明の開示】
【発明が解決しようとする課題】
【００１９】
本発明は上記問題点に鑑みてなされたものであり、無線通信装置においてクロック信号の周波数の高調波成分が受信周波数と重複する場合に生じ得る受信妨害の発生を効果的に抑制可能な構成を提供することを目的とする。
【課題を解決するための手段】
【００２０】
上記目的の達成のため本発明によれば、無線通信装置においてクロック信号を使用する部分が使用する一のクロック信号の高調波成分が当該無線通信装置の受信周波数と重複する場合、前記一のクロック信号と異なる他のクロック信号を生成し、生成された前記他のクロック信号を、前記クロック信号を使用する部分に向けて伝送し、そのようにして伝送された前記他のクロック信号から前記一のクロック信号を生成して前記クロック信号を使用する部分に供給するようにした。
【００２１】
当該本発明の構成によれば、無線通信装置においてクロック信号を使用する部分が使用する一のクロック信号の高調波成分が当該無線通信装置の受信周波数と重複する場合、前記一のクロック信号と異なる他のクロック信号を生成し、生成された前記他のクロック信号を、前記クロック信号を使用する部分に向けて伝送する。ここで前記一のクロック信号と異なる他のクロック信号を生成する際に当該他のクロック信号を、受信周波数に対する影響が充分低減されたものとすればよい。その結果、図１に示す如くクロック信号を伝送するケーブル又は配線パターン３００が当該無線通信装置のアンテナ１２０上又はその近傍を通過して敷設されるような場合であっても、上記の如く当該クロック信号が受信周波数に対する影響が充分低減されたものとすることにより、当該クロック信号の影響による受信妨害の発生を効果的に抑制し得る。
【００２２】
又上記本発明の構成では、このように受信周波数に対する影響が充分低減された他のクロック信号が、前記クロック信号を使用する部分に向けて伝送された後、当該他のクロック信号から前記一のクロック信号が生成されて前記クロック信号を使用する部分に供給される。その結果当該クロック信号を使用する部分では、自己が使用する一のクロック信号を確実に得ることが出来る。
【発明の効果】
【００２３】
このように本発明によればクロック信号を用いる構成の無線通信装置において、当該クロック信号による受信妨害の発生を効果的に抑制することが可能となる。
【発明を実施するための最良の形態】
【００２４】
本発明の実施例によれば、無線通信装置における内部信号としてのクロック信号の伝送において、当該クロック信号の伝送を受ける部分であり、当該クロック信号を使用する部分が実際に使用するクロック信号(以下「使用クロック信号」と称する)の高調波成分が当該無線通信装置の受信周波数帯と重複する場合、使用クロック信号とは異なる、受信妨害を生じ得る高調波成分を含まないクロック信号(以下「伝送クロック信号」と称する)を生成してこれを伝送する。そして前記クロック信号を使用する部分としての終端部の近傍で、このようにして伝送されてきた伝送クロック信号から前記使用クロック信号を生成し、生成された使用クロック信号を前記クロック信号を使用する部分に供給する。
【００２５】
又この場合、伝送クロック信号の周波数を、使用クロック信号の周波数の整数倍とし、クロック信号を使用する部分としての終端部の近傍に設けた周波数変換回路で伝送クロック信号の周波数を整数分の１に変換して使用クロック信号を生成する(第１実施例)。
【００２６】
或いは伝送クロック信号を、使用クロック信号の周波数の整数分の１の周期的なタイミング信号として生成してこれを伝送し、クロック信号を使用する部分としての終端部の近傍に設けた使用クロック周波数発振回路にて、前記タイミング信号に同期させて使用クロック信号を発生させる（実施例２）。
【００２７】
或いは使用クロック信号の波形に対しフーリエ変換を施すことでスペクルを得ることで使用クロック信号の高調波成分を数値化する。そしてこのスペクトルの中から受信妨害を生じ得る高調波成分のスペクトルを削除して新たなスペクトルを得る。このようにして得られた、受信妨害を生じ得る高調波成分のスペクトルが除かれた新たなスペクトラムに対し逆フーリエ変換を施すことで対応する時間軸上の波形を算出し、算出された時間軸上の波形を有する伝送クロック信号を生成し、これを伝送する（実施例３）。
【００２８】
すなわち本発明の実施例によれば、クロック信号伝送用配線部材としての伝送部（すなわち例えば図１の例におけるケーブル又は配線パターン３００）を伝送される信号として、受信妨害を生じ得る高調波成分を含まないか、或いは受信妨害を生じ得る高調波成分が充分低減された信号(すなわち伝送クロック信号)を生成する。そして当該伝送クロック信号を上記伝送部で伝送し、当該伝送クロック信号の伝送を受ける、クロック信号を使用する部分としての終端部において、このようにして伝送されてきた伝送クロック信号に基づき、使用クロック信号を生成して、クロック信号を使用する部分に供給する。
【００２９】
この方式によれば、受信妨害の主な要因であるクロック信号伝送用配線部材としての伝送部からの有害な高調波ノイズの発生を効果的に抑制し得るため、受信妨害の発生を効果的に抑制可能である。
【００３０】
以下本発明の実施例の構成につき、図とともに詳細に説明する。
【００３１】
尚以下に詳細に説明する上記本発明の実施例１〜３による無線通信装置は各々図４に示される如くの構成を有する折り畳み式携帯電話機５００の形態を有する。当該携帯電話機５００は、従来技術として上述した図１に示す携帯電話機５００’とほぼ同様の構成を有する。しかしながら本発明の実施例１〜３による携帯電話機５００では、従来技術の携帯電話機５００’における送信部１１０’及び受信部２１０’に代え、それぞれ新たな構成を有する送信部１１０及び受信部２１０が設けられている。
【００３２】
本発明の各実施例による携帯電話機５００は固定部５００Ｂと可動部５００Ａとよりなり、固定部５００Ｂと可動部５００Ａとはヒンジ４００で開閉可能に接続されている。
【００３３】
固定部５００Ｂ及び可動部５００Ａの各々には回路基板として固定部基板１００及び可動部基板２００が設けられている。
【００３４】
固定部５００Ｂには当該携帯電話機を駆動するための電池１３０及び外部の充電器により電池１３０を充電するための充電端子１４０が設けられているとともに、当該携帯電話機５００が無線信号を受信するための受信アンテナ１２０が設けられている。
【００３５】
又固定部基板１００上には伝送クロック信号を送信する機能を有する送信部１１０が設けられ、可動部基板２００上にはこのクロック信号を受信する受信部２１０が設けられており、又送信部１１０と受信部２１０との間はクロック信号伝送用配線部材としてのケーブル又は配線パターン３００が設けられている。
【００３６】
図４の構成を有する携帯電話機器５００では固定部５００Ｂの固定部基板１００上に設けられた送信部１１０から、可動部５００Ａの可動部基板２００上に設けられた受信部２１０に対し、その間に設けられた伝送部としてのケーブル又は配線パターン３００によって伝送クロック信号が伝送される。このためヒンジ４００の部分に接して、或いはその近傍を通過するようにケーブル又は配線パターン３００を設ける必要があり、ヒンジ４００の部分に近接して設けられた受信アンテナ１２０上或いはその近傍にケーブル又は配線パターン３００を設ける必要がある。
【００３７】
本発明の各実施例によれば、上記の如く、伝送クロック信号は受信周波数帯に対する影響が充分低減されたものとされるため、当該ケーブル又は配線パターン３００によって伝送される伝送クロック信号からは有害な高調波成分はほとんど放射されず、もって受信妨害の発生が効果的に抑制される。
【００３８】
図５は前記送信部１１０の一例としての、当該携帯電話機５００に設けられたカメラの一例を示す斜視図である。
【００３９】
このように送信部１１０がカメラであるような場合、カメラによる撮影で得られた画像情報は例えば１３ＭＨｚのクロック信号に同期してカメラ１１０から送信され、クロック信号とともに受信部２１０へと伝送され、受信部にて情報処理がなされる。このようにして当該画像情報により、当該携帯電話機５００が有する画面（図示を省略）上に撮像画像が表示され、或いは当該携帯電話機内に設けられたメモリ（図示を省略）に格納される。
【００４０】
以下本発明の各実施例につき、図とともに詳細に説明する。
【実施例１】
【００４１】
図６は本発明の実施例１の構成を説明するためのブロック図である。
【００４２】
本発明の実施例１では、無線受信周波数と重なるような高調波成分を含まない伝送クロック信号を発生する送信部１１０としてのクロック信号発振回路と、その伝送クロック信号を伝送する伝送部３００としてのケーブル或いは配線パターン、その伝送クロック信号から、クロック信号を使用する部分が使用する使用クロック信号を生成する回路としての周波数変換回路２１０Ａ(図４中、受信部２１０に含まれる)が設けられる。
【００４３】
上記送信部１１０で発生する伝送クロック信号は、受信周波数に重なる高調波成分を含まない信号とされる。具体的には、当該携帯電話機において使用クロック信号が１３ＭＨｚのクロック信号であり、受信周波数帯が８７５〜８８５ＭＨｚであった場合、当該使用クロック信号をそのままケーブル又は配線パターン３００を通じて伝送すると、その伝送路３００からは有害な高調波成分としての８８４ＭＨｚ（１３×６８＝８８４、すなわち使用クロック信号の６８次の高調波成分）が放射され、受信妨害の要因となる。
【００４４】
このため実施例１では、送信部１１０(すなわちクロック発振回路)では、使用クロック信号の周波数である１３ＭＨｚの整数倍、具体的には例えば３倍の３９ＭＨｚの伝送クロック信号を生成する。この場合の整数倍の倍数は、その高調波成分が上記受信周波数帯の範囲に含まれることがないように選択される。そのための具体例につき図７とともに後述する。
【００４５】
このようにして生成された伝送クロック信号を伝送した場合、受信妨害の要因となる高調波ノイズは放射されず、受信妨害は発生しない。すなわち当該伝送クロック信号の周波数である３９ＭＨｚの２２次高調波成分は８５８ＭＨｚ（＜  ８７５ＭＨｚ）であり、次の２３次高調波成分は８９７ＭＨｚ（＞  ８８５ＭＨｚ）であるため、上記受信周波数帯８７５〜８８５ＭＨｚの範囲内の高調波成分は含まれない。
【００４６】
又クロック信号を使用する部分としての終端部である１３ＭＨｚ動作回路２１０Ｂ（周波数変換回路２１０Ａとともに上記受信部２１０に含まれる）の近傍には周波数変換回路２１０Ａが設けられている。
【００４７】
周波数変換部２１０Ａでは、ケーブル又は配線パターン３００を通じてクロック発信回路１１０から伝送されてきた伝送クロック信号を加工する（具体的にはその周波数を１／３にする周波数変換処理を行う）ことで、１３ＭＨｚ動作回路２１０Ｂが使用する１３ＭＨｚの使用クロック信号を生成する。この周波数を１／３にする周波数変換処理のための構成として、例えば３進カウンタ等を適用し得る。
【００４８】
ここで１３ＭＨｚの使用クロック信号を生成する周波数変換回路２１０Ａからは上記受信妨害を生じ得る高調波成分として８８４ＭＨｚ（１３×６８＝８８４）が放射されるが、上記の如く周波数変換回路２１０Ａは、クロック信号を使用する部分としての１３ＭＨｚ動作回路２１０Ｂの近傍に設けられる。その結果、１３ＭＨｚの使用クロック信号の実際の伝送経路を充分短くすることができる。
【００４９】
すなわち１３ＭＨｚの使用クロック信号を生成する回路である周波数変換回路２１０Ａと、クロック信号を使用する部分としての１３ＭＨｚ動作回路２１０Ｂとの間の離間距離を充分小さくすることにより、１３ＭＨｚの使用クロック信号を伝送する伝送経路による電流経路を微小なループとすることが出来、１３ＭＨｚの使用クロック信号による受信周波数帯の電波の放射レベルを充分小さくすることが出来る。よって受信妨害を効果的に抑制可能となる。
【００５０】
次に上述の実施例１における、伝送クロック信号の周波数の決定方法につき、図７とともに説明する。
【００５１】
図７中、ステップＳ１にて、使用クロック信号の周波数を変数ＦＣに設定する。上記の例の場合、ＦＣ＝１３［ＭＨｚ］である。又伝送クロック信号の周波数の候補を示す変数ＦＫの初期値として、ＦＣを設定する。
【００５２】
ステップＳ２にて受信周波数帯ＦＲを設定する。上記例の場合、ＦＲ＝８７５〜８８５［ＭＨｚ］である。
【００５３】
ステップＳ３にて、ＦＫに対する倍数としての次数の初期値を１とし、ステップＳ４に移行する。
【００５４】
ステップＳ４にて、ＦＫに上記次数を乗じて得た値、ＦＫ×次数、がＦＲの範囲を超えたか否かを判定する。判定の結果ＦＫ×次数がＦＲの範囲を超えていた場合（ＹＥＳ）、当該ＦＫを最終的な伝送クロック信号の周波数の値として得る（ステップＳ５）。
【００５５】
他方、ステップＳ４の判定の結果ＦＫ×次数がＦＲの範囲を超えていなかった場合（ＮＯ），ステップＳ６に移行する。
【００５６】
ステップＳ６では、当該ＦＫ×次数がＦＲの範囲内にあるか否かを判定する。ステップＳ６での判定の結果ＦＫ×次数がＦＲの範囲内になければ（ＮＯ）ステップＳ７に移行し、次数を１インクリメントしてステップＳ４に戻る。
【００５７】
他方ステップＳ６での判定の結果ＦＫ×次数がＦＲの範囲内であれば（ＹＥＳ）ＦＫ＋ＦＣを演算し、その演算結果でＦＫを更新した後、ステップＳ３に戻る。
【００５８】
以降、ステップＳ４の判定結果がＹＥＳとなるまで図７の動作を継続する。
【００５９】
ここで上記の例、すなわち使用クロック信号の周波数ＦＣ＝１３［ＭＨｚ］、受信周波数帯８７５〜８８５［ＭＨｚ］の場合、上述の図７の動作がどのようになされるかについて説明する。
【００６０】
この場合、上記ステップＳ４，Ｓ６，Ｓ７のループ動作において、次数が６７迄は、ＦＫ×次数＝１３×６７＝８７１［ＭＨｚ］であり、ＦＲ＝８７５〜８８５［ＭＨｚ］の範囲に入らない。このため、ステップＳ４及びステップＳ６の結果はそれぞれＮＯとなり、上記ループ動作が繰り返される。
【００６１】
次数が６８となった時点で、ＦＫ×次数＝１３×６８＝８８４［ＭＨｚ］は受信周波数帯８７５〜８８５［ＭＨｚ］を超えていないため、ステップＳ４の判定結果はＮＯとなり、ステップＳ６に移行するが、ステップＳ６では当該値８８４［ＭＨｚ］が受信周波数帯８７５〜８８５［ＭＨｚ］の範囲内にあるため、ステップＳ６の判定結果がＹＥＳとなる。その結果ステップＳ８に移行し、ステップＳ８にてＦＫ＝ＦＫ＋ＦＣ＝１３＋１３＝２６［ＭＨｚ］とＦＫが更新される。
【００６２】
ＦＫ＝２６［ＭＨｚ］で上記ステップＳ４，Ｓ６，Ｓ７のループ動作において、次数が３３迄は、ＦＫ×次数＝２６×３３＝８５８［ＭＨｚ］であり、ＦＲ＝８７５〜８８５［ＭＨｚ］の範囲に入らない。このため、ステップＳ４及びステップＳ６の結果はそれぞれＮＯとなり、上記ループ動作が繰り返される。
【００６３】
次数が３４となると、ＦＫ×次数＝２６×３４＝８８４［ＭＨｚ］となり、受信周波数帯８７５〜８８５［ＭＨｚ］を超えていないため、ステップＳ４の判定結果はＮＯとなり、ステップＳ６に移行するが、ステップＳ６では当該値８８４［ＭＨｚ］が受信周波数帯８７５〜８８５［ＭＨｚ］の範囲内にあるため、ステップＳ６の判定結果がＹＥＳとなる。その結果ステップＳ８に移行し、ステップＳ８にてＦＫ＝ＦＫ＋ＦＣ＝２６＋１３＝３９［ＭＨｚ］とＦＫが更新される。
【００６４】
ＦＫ＝３９［ＭＨｚ］で上記ステップＳ４，Ｓ６，Ｓ７のループ動作において、次数が２２迄は、ＦＫ×次数＝３９×２２＝８５８［ＭＨｚ］であり、ＦＲ＝８７５〜８８５［ＭＨｚ］の範囲に入らない。このため、ステップＳ４及びステップＳ６の結果はそれぞれＮＯとなり、上記ループ動作が繰り返される。
【００６５】
次数が２３となると、ＦＫ×次数＝３９×２３＝８９７［ＭＨｚ］となり、受信周波数帯８７５〜８８５［ＭＨｚ］を超えているため、ステップＳ４の判定結果はＹＥＳとなり、この場合ステップＳ５に移行し、当該ＦＫ＝３９［ＭＨｚ］が伝送クロック信号の周波数として採用される。
【００６６】
すなわち伝送クロック信号の周波数のＦＫの候補の値としての、使用クロック信号ＦＣの倍数が順次更新されて増加するにしたがって、更に当該更新後のＦＫの候補の値の倍数である高調波成分（すなわちＦＫ×次数）の値は、その次数の増加にしたがって増加する幅が段階的に増加する。その結果、その増加する幅が受信周波数帯の範囲を跨ぐようになり、当該高調波成分が受信周波数帯の範囲内に含まれなくなった時点におけるＦＫの候補を伝送クロック信号の周波数として採用する。
【００６７】
上記の例の場合、ＦＫが１３或いは２６［ＭＨｚ］では、その倍数である高調波成分の、次数に応じて増加する幅は、受信周波数帯８７５〜８８５［ＭＨｚ］を跨ぐまでに至っておらず、その倍数である高調波成分が受信周波数帯の範囲内に含まれる。他方ＦＫが３９［ＭＨｚ］の場合、その次数が２２の場合３９×２２＝８５８ＭＨｚ＜８７５［ＭＨｚ］（受信周波数帯の下限）であり、その次の次数２３の場合、３９×２３＝８９７［ＭＨｚ］＞８８５［ＭＨｚ］（受信周波数帯の上限）となり、受信周波数帯の範囲を跨いでおり、双方の高調波成分とも受信周波数帯の範囲に含まれない。したがって伝送クロック信号の周波数として３９［ＭＨｚ］として採用される。
【実施例２】
【００６８】
次に、上記本発明の実施例２について説明する。
【００６９】
図８（ａ）に示される構成を有する実施例２の構成では、送信部としてのタイミング発生回路１１０−１（図４中、送信部１１０に対応する）にて、使用クロック信号の周波数１３ＭＨｚの整数分の一の周波数の、図８（ｂ）に示される如くの伝送クロック信号としてのタイミング信号を生成する。そして生成されたタイミング信号は、伝送部としてのケーブル又は配線パターン３００を通じて伝送される。そしてクロック信号を使用する部分としての１３ＭＨｚ動作回路２１０Ｂ−１（上記受信部２１０に含まれる）の近傍に設けられた発振回路２１０Ａ−１（上記受信部２１０に含まれる）にて、このようにケーブル又は配線パターン３００を伝送されてきたタイミング信号に同期させて、１３ＭＨｚの使用クロック信号が生成され、生成された１３MHｚの使用クロック信号が１３ＭＨｚ動作回路２１０Ｂ−１に供給される。
【００７０】
具体的には、上記タイミング発生回路１１０−１にて、使用クロック信号の周波数１３ＭＨｚの１／１０００の１３ｋＨｚのタイミング信号を発生する。このタイミング信号は図８（ｂ）に示される如くの波形を有するものとされる。
【００７１】
この１３ｋＨｚのタイミング信号は、伝送部としてのケーブル又は配線パターン３００を伝送される際、上記受信周波数帯に重なる高調波成分が複数発生する。しかしながら元の周波数が１３ｋＨｚと低いため、その高調波成分のうち、受信周波数帯８７５〜８８５ＭＨｚに含まれる高調波成分の次数は約６４０００となる。このように高調波成分の次数が高いことにより、当該高調波成分のレベルはノイズとして問題にならない程度まで低減されている。したがって伝送クロック信号としてのタイミング信号が送信部としてのタイミング発生回路１１０−１からクロック信号を使用する部分である１３ＭＨｚ動作回路２１０Ｂ−１の近傍に設けられた発振回路２１０Ａ−１迄伝送される際に生じ得る受信妨害が効果的に抑制される。
【００７２】
クロック信号を使用する部分である１３ＭＨｚ動作回路２１０Ｂ−１の近傍に設けられた発振回路２１０Ａ−１では図８（ｃ）に示す如く、伝送部３００を伝送されてきた１３ｋＨｚのタイミング信号に同期させることで、正しいタイミングの１３ＭＨｚの使用クロック信号を生成することが可能となる。尚、図８（ｃ）では、上記１３ｋＨｚのタイミング信号に対応する、比較的周波数の低いタイミング信号（同図中、上側の信号）の各タイミングパルスに同期させてパルスを発生することにより、上記１３ＭＨｚの使用クロック信号に対応する、より周波数の高いクロック信号（同図中、下側の信号）を発生する様子につき、模式的に示している。
【００７３】
図９は、周波数が１３ＭＨｚの使用クロック信号自体を伝送した場合（同図（ａ））と比較して、これに代えて周波数がその１／１０００の１３ｋＨｚのタイミング信号を伝送した場合（同図（ｂ））の、受信周波数帯８７５〜８８５ＭＨｚに含まれる高調波成分（８８４ＭＨｚのもの、図中、８８４Ｍ）のノイズレベルの一例を示す。この図９の例は、タイミング信号のデューティー比が１０％の場合の例である。
【００７４】
図９から明らかなように、１３ｋＨｚのタイミング信号を伝送した場合（同図（ｂ））には、受信周波数帯８７５〜８８５ＭＨｚに含まれる高調波成分（８８４ＭＨｚ、図中、８８４Ｍ）のノイズレベルは無視し得るほどに低減されている。
【００７５】
尚、上記１３ｋＨｚのタイミング信号のデューティー比は５０％（すなわちハイレベルである時間とローレベルである時間が等しい状態）であることが望ましい。一般にデューティー比が５０％の場合が最も高調波が出にくいとされているからである。
【実施例３】
【００７６】
次に図１０〜１３とともに、上記本発明の実施例３の構成について詳細に説明する。
【００７７】
実施例３では図１０に示す如く、クロック信号の送信部としてのクロック発信回路１１０−２（図４中、送信部１１０に対応する）にて、そのスペクトルから受信妨害を生ずる受信周波数帯８７５〜８８５ＭＨｚに含まれる高調波成分（上記実例では８８４ＭＨｚの高調波成分）のスペクトルを除去したスペクトルのみを含む波形の信号を生成する。
【００７８】
その結果、そのように受信周波数帯８７５〜８８５ＭＨｚに含まれる高調波成分のスペクトルが除去された伝送クロック信号を伝送部としてのケーブル又は配線パターン３００を伝送することにより、無線通信装置内のクロック信号の伝送に起因する受信妨害を効果的に抑制可能となる。
【００７９】
この方法によれば、バイパスコンデンサによるフィルタ等を対策部品として使用する従来例の場合に比べると、特定の周波数成分のみがゼロとされているため、その信号波形がなまることが効果的に抑制され得る。
【００８０】
以下図とともに詳細に説明する。
【００８１】
図１０に示す如く、実施例３による無線通信装置では、伝送クロック信号を発生する送信部としてのクロック発信回路１１０−２，伝送部としてのケーブル又は配線パターン３００，ケーブル又は配線パターン３００を通じて伝送された伝送クロック信号から使用クロック信号を得るための波形成形回路２１０−２（上記受信部２１０に含まれる）及びクロック信号を使用する部分である終端部としての１３ＭＨｚ動作回路２１０Ｂ−２（上記受信部２１０に含まれる）を有する。
【００８２】
このうちクロック発振回路１１０−２は上記の如く１３ＭＨｚの使用クロック信号から、受信周波数帯８７５〜８８５ＭＨｚに含まれる高調波成分８８４ＭＨｚのスペクトルを除去して得た伝送クロック信号を発生する。そしてこの伝送クロック信号が伝送部としてのケーブル又は配線パターン３００を伝送された後、クロック信号を使用する部分である１３ＭＨｚ動作回路２１０Ｂ−２の近傍に設けられた波形成形回路２１０Ａ−２にて波形成形され、上記の如く除去された高調波成分である８８４ＭＨｚのスペクトルを復元させることで、１３ＭＨｚの使用クロック信号を生成する。生成された１３ＭＨｚの使用クロック信号が１３ＭＨｚ動作回路２１０Ｂ−２に供給される。
【００８３】
図１１は従来の方法（同図（ａ）、（ｂ）、（ｃ））と比較して、当該実施例３によるクロック信号伝送方法における伝送クロック信号の生成方法（（ｄ），（ｅ）、（ｆ）、（ｇ））の構成を説明するための図である。
【００８４】
図１１（ａ）、（ｄ）に示す如くの１３ＭＨｚの矩形波信号としてのクロック信号をスペクトルで表すと、同図（ｂ），（ｅ）に示す如く、８７１ＭＨｚ（６７次）、８８４ＭＨｚ（６８次）及び８９７ＭＨｚ（６９次）のそれぞれの高調波成分（図中、それぞれ８７１Ｍ，８８４Ｍ、８９７Ｍとして示す）を含む一連の高調波成分のスペクトルを含むものとして表せる。このうち、上記の如く、８８４ＭＨｚの高調波成分が受信周波数帯８７５〜８８５ＭＨｚに含まれるため、受信妨害を生じ得る。
【００８５】
従来の方法では、フィルタ等の対策部品を使用することで図１１（ｃ）に示す如く、広い範囲で高調波成分を減衰させていた。しかしながらこの従来の方法では広い範囲で高調波成分を減衰させるため、信号の波形は元の矩形波に対し、その立ち上がり／立ち下がりエッジ部分がなまってしまうという問題点が想定される。
【００８６】
これに対し本発明の実施例３の方法によれば、１３ＭＨｚの矩形波としてのクロック信号の波形のデータに対し、一旦ＦＦＴ（高速フーリエ変換）を施してスペクトルのデータ（図１１（ｅ））を得る。そしてこのようにして得られたスペクトルから図１１（ｆ）に示す如く、実際に受信周波数帯８７５〜８８５ＭＨｚに含まれることで受信妨害を生じ得る高調波成分である８８４ＭＨｚの成分のスペクトルのみを除去したスペクトルのデータを得る。そしてこのようにして得られたスペクトルのデータに対し、逆高速フーリエ変換を施すことで、図１１（ｇ）に示す如くの、対応する時間軸上の波形のデータを得る。そしてこのようにして得られた波形を有する信号を生成し、伝送クロック信号として使用する。
【００８７】
この本発明の実施例３の方法によれば、従来の方法と異なり、実際に受信妨害を生じ得る高調波成分のみを除去した波形の伝送クロック信号を使用することが出来る。このようにして得られた伝送クロック信号は、従来の方法における如く広い範囲で高調波成分を除去したものと異なり、実際に受信妨害を生じ得る高調波成分のみを除去したものであるため、元の１３ＭＨｚの矩形波としてのクロック信号に対し、その立ち上がり／立ち下がり部分における波形のなまりを効果的に抑制できる。
【００８８】
図１２は図１１（ｄ），（ｅ）、（ｆ）、（ｇ）とともに上述の本発明の実施例３のクロック信号伝送方法における伝送クロック信号の生成方法の動作の流れを示す。
【００８９】
図１２中、ステップＳ２１では、使用クロック信号としての１３ＭＨｚの矩形波の時間軸上の波形のデータを得る。
【００９０】
ステップＳ２２では、ステップＳ２１で得た時間軸上の波形のデータに対しＦＦＴ変換の演算を行うことでスペクトルのデータを得る。
【００９１】
ステップＳ２３では、ステップＳ２２で得たスペクトルのデータから、受信妨害を生じ得る、受信周波数帯８７５〜８８５ＭＨｚに含まれる高調波成分のスペクトルのデータ、上記例の場合６８次の高調波成分である８８４ＭＨｚの成分のデータのみをゼロに置き換える。
【００９２】
ステップＳ２４では、ステップＳ２３で得られた、受信妨害を生じ得る高調波成分のデータのみがゼロとされたスペクトルのデータに対し、逆ＦＦＴ変換の演算を行い、対応する時間軸上の波形のデータを得る。
【００９３】
ステップＳ２５では、ステップＳ２４で得られた時間軸上の波形のデータに基づき、実際に同波形を有する信号を発生する。その結果、受信妨害を生じ得る高調波成分のみが除去された波形のクロック信号が得られるので、このクロック信号を伝送クロック信号として使用する。
【００９４】
図１３は図１２中、ステップＳ２５で実施する、実際のクロック信号の生成方法について更に詳細に説明するための動作フローチャートである。
【００９５】
図１３中、ステップＳ３１では、図１２のステップＳ２４で時間軸上の波形のデータが書き込まれたＲＯＭから当該波形のデータを順次読み出すための信号として、１３ＭＨｚのアドレススキャン信号を生成する。このようにして生成された１３ＭＨｚのアドレススキャン信号を上記ＲＯＭに与えることにより、同ＲＯＭから、前記図１２のステップＳ２４でＲＯＭに書き込まれた時間軸上の波形のデータが順次読み出されて出力される（ステップＳ３２）。
【００９６】
ステップＳ３２で出力された、前記図１２のステップＳ２４で得られた時間軸上の波形のデータをＤ／Ａ変換（ステップＳ３３）することで、受信妨害を生じ得る高調波成分のみが除去された１３ＭＨｚのクロック信号が得られ、これが伝送クロック信号として使用される。
【００９７】
本発明は以下の付記の各々に記載の構成をとり得る。
（付記１）
クロック信号を用いる構成の無線通信装置において、当該クロック信号を使用する部分が使用する一のクロック信号の高調波成分が当該無線通信装置の受信周波数と重複する場合、前記一のクロック信号と異なる他のクロック信号を生成する伝送クロック信号生成段階と、
前記伝送クロック信号生成段階により生成された、前記他のクロック信号を、前記クロック信号を使用する部分に向けて伝送するクロック信号伝送段階と、
前記クロック信号伝送段階により伝送された前記他のクロック信号から前記一クロック信号を生成して前記クロック信号を使用する部分に供給する使用クロック信号生成段階とよりなる
無線通信装置におけるクロック信号伝送方法。
（付記２）
前記他の周波数は、前記一のクロック信号の周波数に応じた周波数とされてなる
付記１に記載のクロック信号伝送方法。
（付記３）
前記伝送クロック信号生成手段で生成される他のクロック信号の周波数は前記一のクロック信号の周波数の整数倍の周波数とされ、当該周波数自体及びそのいかなる高調波成分も前記受信周波数と重複しないような周波数とされてなる
付記１又は２に記載のクロック信号伝送方法。
（付記４）
前記伝送クロック信号生成段階で生成される他のクロック信号の周波数は前記一クロック信号の周波数の整数分の一の周波数とされてなる
付記１又は２に記載のクロック信号伝送方法。
（付記５）
前記伝送クロック信号生成段階で生成される前記他のクロック信号は、前記一のクロック信号に対しフーリエ変換を実施して得られるスペクトルにおいて前記受信周波数と重複する高調波成分を特定し、前記フーリエ変換を実施して得られたスペクトルから当該特定された高調波成分のスペクトルを除去したスペクトルを得、当該高調波成分を除去したスペクトルに対し逆フーリエ変換を実施して得られる波形を有する信号とされてなる
付記１又は２に記載のクロック信号伝送方法。
（付記６）
前記無線通信装置は、前記受信周波数の無線通信信号を受信するアンテナ部を有し、前記伝送クロック信号生成段階及び使用クロック信号生成段階はそれぞれ伝送クロック信号発振回路及び周波数変換回路により実施され、それぞれタイミング発生回路及び使用クロック信号発振回路により実施され、或いはそれぞれ伝送クロック信号発振回路及び波形成形回路により実施され、前記クロック信号伝送段階ではクロック信号伝送用配線部材が他のクロック信号の伝送に使用され、
前記伝送クロック信号発振回路或いはタイミング発生回路は前記無線通信装置における一の回路基板上に搭載され、前記周波数変換回路、使用クロック信号発振回路或いは波形成形回路及び前記クロック信号を使用する部分は前記無線通信装置における他の回路基板上に搭載され、前記アンテナ部は前記一の回路基板と前記他の回路基板との間に設置され、前記クロック信号伝送用配線部材は前記一の回路基板から前記他の回路基板に向けて前記アンテナ部上或いはその近傍を通過して配線されてなる
付記１乃至５のうちの何れかに記載のクロック信号伝送方法。
（付記７）
クロック信号を用いる構成とされた無線通信装置であって、
当該無線通信装置においてクロック信号を使用する部分が使用する一のクロック信号の高調波成分が当該無線通信装置の受信周波数と重複する場合、前記一のクロック信号と異なる他のクロック信号を生成する伝送クロック信号生成手段と、
前記伝送クロック信号生成手段により生成された、前記他のクロック信号を、前記クロック信号を使用する部分に向けて伝送するクロック信号伝送手段と、
前記クロック信号伝送手段により伝送された前記他のクロック信号から前記一のクロック信号を生成して前記クロック信号を使用する部分に供給する使用クロック信号生成手段とよりなる
無線通信装置。
（付記８）
前記他の周波数は、前記一のクロック信号の周波数に応じた周波数とされてなる
付記７に記載の無線通信装置。
（付記９）
前記伝送クロック信号生成手段で生成される他のクロック信号の周波数は前記一のクロック信号の周波数の整数倍の周波数であって、当該周波数自体及びそのいかなる高調波成分も前記受信周波数と重複しない周波数とされてなる
付記７又は８に記載の無線通信装置。
（付記１０）
前記伝送クロック信号生成手段で生成される他のクロック信号の周波数は前記一のクロック信号の周波数の整数分の一の周波数とされてなる
付記７又は８に記載の無線通信装置。
（付記１１）
前記伝送クロック信号生成手段で生成される前記他のクロック信号は、前記一のクロック信号に対しフーリエ変換を実施して得られるスペクトルにおいて前記受信周波数に重複する高調波成分のスペクトルを特定し、前記フーリエ変換を実施して得られたスペクトルから当該特定された高調波成分のスペクトルを除去したスペクトルを得、当該高調波成分のスペクトルを除去したスペクトルに対し逆フーリエ変換を実施して得られる波形を有する信号とされてなる
付記７又は８に記載の無線通信装置。
（付記１２）
前記無線通信装置は、前記受信周波数の無線通信信号を受信するアンテナ部を有し、前記伝送クロック信号生成手段及び使用クロック信号生成手段は、それぞれ伝送クロック信号発振回路及び周波数変換回路よりなり、タイミング発生回路及び使用クロック信号発振回路よりなり、或いは伝送クロック信号発振回路及び波形成形回路よりなり、前記クロック信号伝送手段はクロック信号伝送用配線部材を含み、
前記伝送クロック信号発振回路或いはタイミング発生回路は前記無線通信装置における一の回路基板上に搭載され、前記周波数変換回路、使用クロック信号発振回路或いは波形成形回路及び前記クロック信号を使用する部分は前記無線通信装置における他の回路基板上に搭載され、前記アンテナ部は前記一の回路基板と前記他の回路基板との間に設置され、前記クロック信号伝送用配線部材は前記一の回路基板から前記他の回路基板に向けて前記アンテナ部上或いはその近傍を通過して配線されてなる
付記７乃至１１のうちの何れかに記載の無線通信装置。
【図面の簡単な説明】
【００９８】
【図１】従来の一例の携帯電話機の斜視図である。
【図２】従来の問題点を説明するための図（その１）である。
【図３】従来の問題点を説明するための図（その２）である。
【図４】本発明を適用可能な携帯電話機の一例の斜視図である。
【図５】図４中、送信部の一例としてのカメラの斜視図である。
【図６】本発明の実施例１の構成を説明するためのブロック図である。
【図７】図６に示す実施例１において伝送すべきクロック信号の周波数を求める動作の流れを説明するための動作フローチャートである。
【図８】本発明の実施例２の構成を説明するためのブロック図である。
【図９】図８に示す実施例２の効果を説明するための図である。
【図１０】本発明の実施例３の構成を説明するためのブロック図である。
【図１１】図１０に示す実施例３において伝送すべきクロック信号の波形を求める方法を説明するための図（その１）である。
【図１２】図１０に示す実施例３において伝送すべきクロック信号の波形を求める方法を説明するための図（その２）である。
【図１３】図１０に示す実施例３において伝送すべきクロック信号の波形を求める方法を説明するための図（その３）である。
【符号の説明】
【００９９】
１１０、１１０−２  伝送クロック信号発振回路（送信部、伝送クロック信号生成手段）
１１０―１  タイミング発生回路（送信部、伝送クロック信号生成手段）
１２０  受信アンテナ
１５０  無線受信回路
２１０Ａ  周波数変換回路（受信部、使用クロック信号生成手段）
２１０Ａ−１  使用クロック信号発信回路（受信部、使用クロック信号生成手段）
２１０Ａ−２  波形成形回路（受信部、使用クロック信号生成手段）
２１０Ｂ、２１０Ｂ−１、２１０Ｂ−２  １３ＭＨｚ動作回路(受信部、終端部、クロック信号を使用する部分）
３００  ケーブル又は配線パターン（伝送部、クロック信号伝送用配線部材）
５００  携帯電話機（無線通信装置）
【図１】
2009141482.tif 000003
【図２】
2009141482.tif 000004
【図３】
2009141482.tif 000005
【図４】
2009141482.tif 000006
【図５】
2009141482.tif 000007
【図６】
2009141482.tif 000008
【図７】
2009141482.tif 000009
【図８】
2009141482.tif 000010
【図９】
2009141482.tif 000011
【図１０】
2009141482.tif 000012
【図１１】
2009141482.tif 000013
【図１２】
2009141482.tif 000014
【図１３】
2009141482.tif 000015